(57)【要約】    【課題】  運転時に永久磁石と電磁コイルを冷却することにより風量が低下するのを抑制し、さらに、騒音の低いダイヤフラム式エアーポンプを提供する。    【解決手段】  軸１を含む平面における縦断面形状が略Ｅ形のヨーク６内に、２個の電磁コイル５，５を同極が対向して発生するように配置し、軸方向に着磁した永久磁石３とそれに隣接する可動子磁極片２とを有する可動子４を軸方向往復動自在に設けて形成した電磁往復駆動装置を駆動源とし、吸気弁１０及び吐出弁１１を有する弁ケース１２とダイヤフラムケース１３により固定されるダイヤフラム８により、空気を吐出するダイヤフラム式エアーポンプの前記ヨーク６に吸気口１７、ヨーク６の両端面部１８部分に通気口１９を設ける。    【選択図】  図１
2005282499.tif 000002
【特許請求の範囲】
【請求項１】
軸を含む平面における縦断面形状が略Ｅ形のヨーク内に、２個の電磁コイルを同極が対向して発生するように配置し、軸方向に着磁した永久磁石とそれに隣接する可動子磁極片とを有する可動子を軸方向往復動自在に設けて形成した電磁往復駆動装置を駆動源とし、吸気弁、吐出弁を有する弁ケースとダイヤフラムケースにより固定されるダイヤフラムにより空気を吐出するダイヤフラム式エアーポンプにおいて、前記ヨークに吸気口と、ヨークの両端面部に通気口を設けてなるダイヤフラム式エアーポンプ。
【請求項２】
吸気口及び／又は通気口の内縁部に緩衝材を設けた請求項１記載のダイヤフラム式エアーポンプ。
【発明の詳細な説明】
【技術分野】
【０００１】
本発明は、永久磁石を可動子とする電磁往復駆動装置を駆動源とするダイヤフラム式エアーポンプに関する。
【背景技術】
【０００２】
永久磁石を可動子とする電磁往復駆動装置を駆動源とするダイヤフラム式エアーポンプにおいて、可動子を軸を介してダイヤフラムに固定し、且つダイヤフラムを電磁往復駆動装置の固定子に、可動子と固定子内径部が接触しないように調整して固定するようにしたものが知られている。（特許文献１及び特許文献２参照）。
【０００３】
このダイヤフラム式エアーポンプについて図４（ａ）に示す縦断面図及び図４（ｂ）に示す横断面図を用いて説明すると、この装置は、縦断面形状が略Ｅ形の固定子ヨーク６内に、２個の電磁コイル５，５を同極が対向して発生するように配置し、電磁往復駆動装置の固定子を形成する。なお、固定子ヨーク６の可動子４と対向する固定子磁極片７は、可動子４と同心に形成する。軸方向に着磁した永久磁石３とそれに隣接する可動子磁極片２を軸１に固着して可動子４を形成する。軸１の両端にダイヤフラム８をセンタープレート９を介して固着し、固定子ヨーク６，ダイヤフラムケース１３を介して、可動子４が固定子内径部の同心中央となるようダイヤフラム８外周部を固定する。吸気弁１０、吐出弁１１を有する弁ケース１２をダイヤフラム８外周に押さえつけて固定する。可動子４はダイヤフラム８により弾性支持され、固定子とは非接触に往復駆動する。このとき、ダイヤフラムケース１３の吸気口１５より吸気し、吸気弁１０よりダイヤフラム８と弁ケース１２の間に空気が吸い込まれ、吐出弁１１からダイヤフラムにより押し出されて、吐出口１６より排気される。
【特許文献１】特開２００３−４２０７０号公報
【特許文献２】特開２００３−４２０７１号公報
【発明の開示】
【発明が解決しようとする課題】
【０００４】
上記の図４で述べた装置は、可動子４、及び固定子磁極内径部が円筒状の同心構成となっており、可動子４は閉鎖的な空間に配置され、ダイヤフラム式エアーポンプが運転されると、通電により電磁コイル５、５が発熱し、固定子磁極内部と樹脂部材１４に囲まれた空間の温度が上昇する。このとき、可動子４もこの空間の温度上昇に伴い熱せられるため、可動子４の永久磁石３が減磁し、駆動推力が低減するために、エアーポンプの吐出風量が減ってしまう。
また、電磁コイル５、５は発熱により、銅損が増加して、電磁コイル５、５の巻線抵抗が増加するため、電流値が低下し、さらに駆動推力が低下する問題がある。
【０００５】
また、ダイヤフラム式エアーポンプの騒音は、可動子４の振動、ダイヤフラム８の振動、吸気時の風切音等あるが、特に弁ケース１２内の吸気弁１０、吐出弁１１が開閉する際に弁ケース１２の内部表面を叩く音が大きく、吐出弁１１側の発生音は、通常吐出口１６にホースが接続されるため外部に漏れないが、吸気弁１０側の発生音は、吸気口１５が近い上、吸気口１５は外部に開放されているため、吸気口１５から発生音が漏れて騒音が大きくなるという問題がある。
【０００６】
本発明は、運転時に永久磁石と電磁コイルを冷却して風量が低下することを抑制し、さらに、騒音の低いダイヤフラム式エアーポンプを提供する。
【課題を解決するための手段】
【０００７】
本発明は、次ぎのものに関する。
（１）軸を含む平面における縦断面形状が略Ｅ形のヨーク内に、２個の電磁コイルを同極が対向して発生するように配置し、軸方向に着磁した永久磁石とそれに隣接する可動子磁極片とを有する可動子を軸方向往復動自在に設けて形成した電磁往復駆動装置を駆動源とし、吸気弁、吐出弁を有する弁ケースとダイヤフラムケースにより固定されるダイヤフラムにより空気を吐出するダイヤフラム式エアーポンプにおいて、前記ヨークに吸気口と、ヨークの両端面部に通気口を設けてなるダイヤフラム式エアーポンプ。
（２）吸気口及び／又は通気口の内縁部に緩衝材を設けた上記（１）記載のダイヤフラム式エアーポンプ。
（作用）
【０００８】
ヨークに設けた吸気口からヨークの両端面部に設けた通気口を介して空気が通過することにより、電磁コイル周囲を空気が通過する。この空気により、電磁コイルが通電により発熱して５０〜１５０℃程度まで温度上昇しても電磁コイルの熱を奪って、電磁コイルを冷却する。さらに、電磁コイルの温度上昇を抑制することで、電磁コイル内側に配置された可動子の温度上昇も抑制され、永久磁石の磁力が低減するのが抑制される。
また、吸気口の位置を吸気弁から遠くすることができ、吸気弁が弁ケースを叩く音を遮音する。
【発明の効果】
【０００９】
本発明のダイヤフラム式エアーポンプによれば、電磁コイルの発熱が抑制され、風量低下を抑制することができ、ダイヤフラム式エアーポンプの効率を下げることなく連続運転することが可能となる。
また、電磁コイル周囲に空気の通路ができるため、吸気弁からの発生音が抑制されて騒音を低減することができる。
【発明を実施するための最良の形態】
【００１０】
本発明のダイヤフラム式エアーポンプのヨークに設けられる吸気口には、吸気時の風切音を抑制するために、吸気口の内縁部に緩衝材を設けるようにするのが好ましい。
【実施例】
【００１１】
以下、図１〜図３を参照しながら本発明によるダイヤフラム式エアーポンプの実施例を説明する。
図１は本発明によるダイヤフラム式エアーポンプの一実施例を示し、（ａ）は縦断面図、（ｂ）は横断面図、図２（ａ）及び（ｂ）は他の実施例による縦断面図と横断面図、図３（ａ）及び（ｂ）は別の実施例による縦断面図と横断面図である。
図１（ａ）及び（ｂ）において、縦断面形状を略Ｅ形に形成したヨーク（固定子ヨーク）６内に、２個の電磁コイル５，５を同極が対向して発生するように配置し、電磁往復駆動装置の固定子を形成する。なお、固定子ヨーク６の可動子４と対向する固定子磁極片７は、可動子４と同心に形成する。軸１方向に着磁した永久磁石３とそれに隣接する可動子磁極片２を軸１に固着して可動子４を形成する。軸１の両端にダイヤフラム８をセンタープレート９を介して固着し、固定子ヨーク６，ダイヤフラムケース１３を介して、可動子４が固定子内径部の同心中央となるようダイヤフラム８外周部を固定する。
図１（ｂ）に示すように吸気弁１０、吐出弁１１を有する弁ケース１２を、ダイヤフラム８外周に押さえつけて固定する。可動子４はダイヤフラム８により、弾性支持され、固定子ヨーク６とは非接触に往復駆動する。固定子磁極片間には樹脂部材１４があり、本実施例では電磁コイル５、５ボビンと一体に形成している。固定子ヨーク６の吸気口１７は、固定子ヨーク６下部に設けられており、吸気口１７から流入した空気を固定子ヨーク６の両端面部１８に設けた通気口１９から通過させ、ダイヤフラム８の内側を通して、ダイヤフラムケース１３の通気部２０を介し、弁ケース１２の吸気口１５へ接続される。好ましくは、固定子ヨーク６の吸気口１７と固定子ヨークの両端面部の通気口１９は、なるべく離れた位置に設けたほうが良く、さらに好ましくは、電磁コイル５、５を挟んで対角の位置に設けるのが良い。これは、電磁コイル５、５から発生する熱を、流れる空気になるべく長い距離接触させるためである。
【００１２】
図２（ａ）及び（ｂ）は、図１に示した実施例の固定子ヨーク６の吸気口１７の内縁部分に、緩衝材としてのオリフィス２１を設けた例を示すものである。
【００１３】
さらに図３（ａ）及び（ｂ）は、図２に示した実施例のオリフィス２１に、ホース形状を加えてホース付のオリフィス２２とした実施例であり、これにより、図２で示した実施例のものに比べ、さらに風切音、吸気弁１０からの発生音、可動子シャフトの樹脂部材１４との摺動音等を遮音できるものとなってより好ましい。
【図面の簡単な説明】
【００１４】
【図１】本発明によるダイヤフラム式エアーポンプの一実施例を示し、（ａ）はダイヤフラム式エアーポンプの縦断面図、（ｂ）はダイヤフラム式エアーポンプの横断面図である。
【図２】本発明によるダイヤフラム式エアーポンプの他の実施例を示し、（ａ）は縦断面図、（ｂ）は横断面図である。
【図３】本発明によるダイヤフラム式エアーポンプの別の実施例を示し、（ａ）は縦断面図、（ｂ）は横断面図である。
【図４】従来例によるダイヤフラム式エアーポンプを示し、（ａ）は縦断面図、（ｂ）は横断面図である。
【符号の説明】
【００１５】
１  軸                              ２  可動子磁極片
３  永久磁石                        ４  可動子
５  コイル                          ６  固定子ヨーク
７  固定子磁極片                    ８  ダイヤフラム
９  センタープレート              １０  吸気弁
１１  吐出弁                        １２  弁ケース
１３  ダイヤフラムケース            １４  樹脂部材
１５  吸気口                        １６  吐出口
１７  吸気口                        １８  固定子ヨークの両端面部
１９  通気口                        ２０  ダイヤフラムケースの通気部
２１  オリフィス                    ２２  オリフィス（ホース付オリフィス）
【図１】
2005282499.tif 000003
【図２】
2005282499.tif 000004
【図３】
2005282499.tif 000005
【図４】
2005282499.tif 000006